(57)【要約】【課題】ガス分離膜を用いて、非炭化水素ガスを含む被処理ガスから非炭化水素ガスを分離するにあたって、稼働率の低下を抑えることができ、また経済性がよいガス分離装置を提供すること。【解決手段】被処理ガスの供給路に対して第１の分離膜モジュール１及び第２の分離膜モジュール２を互に並列に配置する。分離膜モジュール１（２）の透過ガス流路１３（２３）から分岐して、分離膜モジュール２（１）に被処理ガスを供給するためのガス供給路２１（１１）に合流する再生用ガス流路１４、１５（２４、２５）を設ける。分離膜モジュール１に被処理ガスを供給した状態で、当該分離膜モジュール１の透過ガスを再生用ガスとして、再生用ガス流路１４、１５を介して分離膜モジュール２に供給する。このとき分離膜モジュール２は非稼働状態とされ、当該分離膜モジュール２の再生が行われる。【選択図】  図１
2018207343.tif 000002
【特許請求の範囲】
【請求項１】
非炭化水素ガスを含む被処理ガス中の非炭化水素ガスがガス供給路を介して一次側に供給され、当該一次側から二次側に透過することにより、被処理ガス中の非炭化水素ガスを低減するガス分離膜を各々備え、互に並列に接続された複数の分離膜モジュールと、
前記複数の分離膜モジュールの各々に接続され、透過ガスが流出する透過ガス流路と、
前記複数の分離膜モジュールの各々に接続され、非透過ガスが流出する非透過ガス流路と、
前記複数の分離膜モジュールのうち、稼働中の第１の分離膜モジュールを透過した透過ガスを、非稼働中の第２の分離膜モジュールの再生用ガスとして当該第２の分離膜モジュールのガス分離膜に供給するための再生用ガス流路と、
前記再生用ガス流路に設けられた再生用バルブと、
前記複数の分離膜モジュールの一次側の各々に接続された前記ガス供給路に設けられた供給用バルブと、
前記第２の分離膜モジュールの供給用バルブを閉じて当該第２の分離膜モジュールを非稼働状態とし、前記再生用バルブを開いて供給される再生用ガスにより、当該第２の分離膜モジュールの再生を行うように構成したことを特徴とするガス分離装置。
【請求項２】
前記非稼働中の第２の分離膜モジュールの再生を行うときには、当該第２の分離膜モジュール及び前記再生用ガスの少なくとも一方を加熱するための加熱部を備えていることを特徴とする請求項１記載のガス分離装置。
【請求項３】
前記再生用ガス流路は、前記第２の分離膜モジュールの一次側に接続され、
前記第２の分離膜モジュールの供給用バルブを閉じると共に前記再生用バルブを開くように制御信号を出力する制御部を備えたことを特徴とする請求項１記載のガス分離装置。
【請求項４】
再生が行われている前記第２の分離膜モジュールの一次側のガス流路及び二次側のガス流路のうち、再生用ガスが分離膜モジュールを透過した後に流れるガス流路を減圧するための減圧機構を備えていることを特徴とする請求項１記載のガス分離装置。
【請求項５】
前記再生用ガス流路は、前記複数の分離膜モジュールの各々の二次側に一端側が接続され、他端側が共通の加熱部の一端側に接続された前段ガス流路と、前記加熱部の他端側にその一端側が接続され、他端側が分岐して前記複数の分離膜モジュールの各々の一次側に接続された後段ガス流路と、を備え、
前記前段ガス流路、及び分岐している前記後段ガス流路の各々に再生用バルブが設けられていることを特徴とする請求項３記載のガス分離装置。
【請求項６】
前記非稼働中の他の分離膜モジュールの再生を開始してから、再生が終了するまでの時間は２時間以上であることを特徴とする請求項１記載のガス分離装置。
【発明の詳細な説明】
【技術分野】
【０００１】
本発明は、ガス分離膜を用いて、非炭化水素ガスを含むガスから非炭化水素ガスを分離するための技術分野に関する。
【背景技術】
【０００２】
井戸元から産出された天然ガスは、二酸化炭素（ＣＯ２）ガス及び窒素（Ｎ２）ガスなどの非炭化水素ガスを不純物として比較的多く含むものがあり、パイプラインガス（都市ガス）や液化天然ガス向けの原料としての製品ガスを得るためには、これら不純物を除去する必要がある。  
天然ガスから不純物を除去する前処理の手法として、ガス分離膜を利用した手法が知られている。ガス分離膜は、分離膜を透過する前後での分離対象のガスの圧力差（分圧差）を駆動エネルギーとし、分離膜を透過するガスの速度差を利用してガス分離を行うものである。ガス分離膜を利用する手法は、省エネルギー化を図れ、取り扱いが容易である利点がある。【０００３】
ガス分離膜を用いたガス分離装置においては、ガス分離膜が高い分離性能を維持した状態で装置を運転すること、ガスの処理量（前処理が行われる天然ガスの流量）を多くすること、メンテナンスも含めた運転に伴うコストを低く抑えること、が要求される。  
特許文献１には、
被処理ガス中の炭酸ガスがゼオライト製管状分離膜を透過し、炭酸ガスを主成分とするガスが配管に流入すること、
運転の適宜時期にポンプを作動させて炭酸ガスを主成分とするガスをリザーバタンクに導入すること、
分離膜モジュールの起動時には、リザーバタンク内の炭酸ガスを分離膜に透過させることにより、分離膜に付着していた水分が分離膜から速やかに除去され、分離性能が回復すること、
リザーバタンク内に炭酸ガスを主成分とするガスが貯留されていないときには、炭酸ガスボンベの炭酸ガスを用いて分離膜の乾燥を行うこと、
が記載されている  。【０００４】
特許文献１に記載されている技術は、不純物による目詰まりとなることにより分離性能が低下した分離膜の分離性能をいかに効率よく回復させるかについては記載されていない。  
特許文献２には、２個の水分離膜ユニットを用いて有機水溶液から水を分離するシステムが記載されている。システムの運転例として、一方の水分離膜ユニットを稼働させて粗エタノールから水を分離し、他方の水分離膜ユニットにおいては、減圧ポンプの減圧を利用してシステムの外から窒素ガスを供給して、水分離膜に蓄積されたエタノールを押し出し、押し出されたエタノールを含む窒素ガスが減圧ポンプにより吸引されることが記載されている。  
特許文献２に記載されている技術は、システムの外から再生用の窒素ガスを供給しており、経済性が悪いという課題がある。
【先行技術文献】
【特許文献】
【０００５】
【特許文献１】特開２０１６−１５９２１１号公報
【特許文献２】特開２０１３−３４９６９号公報
【発明の概要】
【発明が解決しようとする課題】
【０００６】
本発明は、このような背景の下になされたものであり、その目的は、ガス分離膜を用いて、非炭化水素ガスを含む被処理ガスから非炭化水素ガスを分離するにあたって、稼働率の低下を抑えることができ、また経済性がよいガス分離装置を提供することにある。
【課題を解決するための手段】
【０００７】
本発明のガス分離装置は、
非炭化水素ガスを含む被処理ガス中の非炭化水素ガスがガス供給路を介して一次側に供給され、当該一次側から二次側に透過することにより、被処理ガス中の非炭化水素ガスを低減するガス分離膜を各々備え、互に並列に接続された複数の分離膜モジュールと、
前記複数の分離膜モジュールの各々に接続され、透過ガスが流出する透過ガス流路と、
前記複数の分離膜モジュールの各々に接続され、非透過ガスが流出する非透過ガス流路と、
前記複数の分離膜モジュールのうち、稼働中の第１の分離膜モジュールを透過した透過ガスを、非稼働中の第２の分離膜モジュールの再生用ガスとして当該第２の分離膜モジュールのガス分離膜に供給するための再生用ガス流路と、
前記再生用ガス流路に設けられた再生用バルブと、
前記複数の分離膜モジュールの一次側の各々に接続された前記ガス供給路に設けられた供給用バルブと、
前記第２の分離膜モジュールの供給用バルブを閉じて当該第２の分離膜モジュールを非稼働状態とし、前記再生用バルブを開いて供給される再生用ガスにより、当該第２の分離膜モジュールの再生を行うように構成したことを特徴とする。
【発明の効果】
【０００８】
本発明は、互に並列に接続された複数の分離膜モジュールのうち、稼働中の第１の分離膜モジュールを透過した透過ガスを、非稼働中の第２の分離膜モジュールの再生用ガスとして当該第２の分離膜モジュールのガス分離膜に供給している。従って、外部から再生用ガスを供給することなく、装置を運転しながら分離膜モジュールを再生することができる。即ち、本発明によれば、装置の稼働率の低下を抑えることができ、また経済性がよいという効果がある。
【図面の簡単な説明】
【０００９】
【図１】本発明のガス分離装置に係る第１の実施形態を示す構成図である。
【図２】本発明のガス分離装置に係る第１の実施形態の変形例を示す構成図である。
【図３】本発明のガス分離装置に係る第２の実施形態を示す構成図である。
【図４】本発明のガス分離装置に係る第３の実施形態を示す構成図である。
【図５】本発明のガス分離装置に係る第４の実施形態を示す構成図である。
【図６】本発明のガス分離装置に係る第５の実施形態を示す構成図である。
【図７】本発明のガス分離装置に係る第６の実施形態を示す構成図である。
【図８】本発明のガス分離装置に係る第６の実施形態を示す構成図である。
【図９】本発明のガス分離装置に係る第６の実施形態を示す構成図である。
【発明を実施するための形態】
【００１０】
［第１の実施形態］  
本発明のガス分離装置を、被処理ガスである天然ガス中の非炭化水素ガスである二酸化炭素（ＣＯ２）を分離する場合に適用した実施形態について説明する。なお、説明の便宜上、二酸化炭素ガスの「ガス」は省略して記述する。天然ガスには二酸化炭素が含まれており、天然ガスを処理して液化天然ガスを製造する出荷基地においては、例えば天然ガス中の二酸化炭素の分離工程の後、天然ガスの液化が行われる。天然ガス中の二酸化炭素の濃度は、ガス田により差異があるが、例えば５〜８０モル％である。  
図１は、本発明のガス分離装置の第１の実施形態を示す図である。天然ガスのガス供給路は、第１のガス供給路１１及び第２のガス供給路２１に分岐されている。第１のガス供給路１１及びび第２のガス供給路２１は、夫々第１の分離膜モジュール１の一次側の入口及び第２の分離膜モジュール２の一次側の入口に接続されている。第１のガス供給路１１及び第２のガス供給路２１には、夫々供給用バルブであるバルブＶ１０、Ｖ２０が接続されている。即ち、第１の分離膜モジュール１及び第２の分離膜モジュール２は、互に並列に接続されている。
【００１１】
これら分離膜モジュール１、２は、例えば各々分離膜が形成された一以上の管状体が筐体の中に配置され、一次側である管状体の外面側の領域に供給された天然ガス中の二酸化炭素が管状体を透過して、二次側（ガス透過側）である管状体の内面側に流入するように構成されている。なお、管状体の内面側の領域を一次側とし、管状体の外面側の領域を二次側としてもよい。管状体は、例えば多孔質セラミックなどからなる基材の表面に無機膜である例えばゼオライト膜を成膜したものが用いられる。各図においては、第１の分離膜モジュール１及び第２の分離膜モジュール２を略解図として記載し、分離膜を１００として示している。
【００１２】
第１の分離膜モジュール１の一次側の出口には、分離膜１００を透過しなかった非透過ガスが流出する非透過ガス流路１２が接続されている。第１の分離膜モジュール１の二次側の出口には、分離膜１００を透過した透過ガスが流出する透過ガス流路１３が接続されている。透過ガス流路１３は、外部に向かうガス流路であるが、途中で分岐されて分岐路１４の一端側が接続されている。分岐路１４には、バルブＶ１１が設けられている。  
第２の分離膜モジュール２のガス流路に関しても、第１の分離膜モジュール１のガス流路と同様に設けられている。２２は非透過ガス流路、２３は、透過ガス流路、２４は分岐路、Ｖ２１はバルブである。
【００１３】
分岐路１４、２４の他端側は合流して、例えば熱交換器からなる加熱部４１の一端側に接続されている。加熱部４１の他端側の流路（分岐路１４、２４の合流路）は、分岐路１５、２５に分岐されている。分岐路１５は第２のガス供給路２１における供給バルブＶ２０の下流側に接続されている（第２のガス供給路２１に合流されている）。従って分岐路１５の一端側及び他端側は夫々加熱部４１及び第２の分離膜モジュール２の一次側に接続されていると言える。  
分岐路２５は第１のガス供給路１１における供給バルブＶ１０の下流側に接続されている。分岐路１５、２５には、夫々バルブＶ１２、Ｖ２２が接続されている。
【００１４】
この例では、透過ガス流路１３の一部、分岐路１４、１５、既述の合流路、及びガス供給路２１の一部は、第２の分離膜モジュール２を再生するための再生用ガスを当該第２の分離膜モジュール２に供給するための再生用ガス流路に相当する。また透過ガス流路２３の一部、分岐路２４、２５、既述の合流路、及びガス供給路１１の一部は、第１の分離膜モジュール１を再生するための再生用ガスを当該第１の分離膜モジュール１に供給するための再生用ガス流路に相当する。再生用ガス流路のうち、加熱部４１の一端側の流路及び他端側の流路は、夫々前段ガス流路、後段ガス流路に相当する。バルブＶ１０、Ｖ２０は、各々供給用バルブに相当し、バルブＶ１１、Ｖ１２、Ｖ２１、Ｖ２２は各々再生用バルブに相当する。  
またガス分離装置は、図示していないが、既述のバルブを操作するための制御信号を出力する制御部を備えている。
【００１５】
次に上述実施形態の作用について説明する。例えばバルブＶ１０を開き、バルブＶ２０を閉じた状態とする。前処理にて水分が除去された天然ガスは第１の分離膜モジュール１の一次側に供給され、第２の分離膜モジュール２には供給されないため、第１の分離膜モジュール１は稼働状態となり、第２の分離膜モジュール２は非稼働状態となる。このとき再生用ガス流路のバルブＶ１１、Ｖ１２は開かれ、バルブＶ２１、Ｖ２２は閉じられている。図面においては、バルブを開いた状態を白抜きで示し、バルブを閉じた状態を斜線で示している。
【００１６】
分離膜１００は、一次側及び二次側の二酸化炭素の分圧差を駆動エネルギーとして、天然ガスから二酸化炭素を分離する。例えば透過ガス流路１３、２３（分岐路１４、２４の分岐点よりも上流側あるいは下流側）に設けられた図示しない圧力制御バルブを調節することにより前記分圧差が所定の値に設定される。従って、稼働中である第１の分離膜モジュール１の一次側に供給された天然ガス中の二酸化炭素は分離膜１００を透過して透過ガス流路１３に透過ガスとして流出し、分離膜１００を透過しなかった非透過ガスである、二酸化炭素濃度が低減された天然ガスは、非透過ガス流路１２に流出する。
【００１７】
第１の分離膜モジュール１の透過ガスである二酸化炭素（正確に言えば二酸化炭素を主成分とするガス）は、ガス分離装置の外部に送られると共に、透過ガスの一部は分岐路１４、加熱部４１、分岐路１５及び第２のガス供給路２１を通って非稼働状態である第２の分離膜モジュール２の一次側に再生用ガスとして供給される。加熱部４１は、例えば二酸化炭素が６０℃〜３００℃となるように構成される。
【００１８】
ここで本発明で用いられる分離膜モジュールについて説明しておく。本発明にて使用している分離膜モジュールは、運転時間が長くなると、透過率（透過性能）が低下する。別の言い方をすれば、新品の分離膜モジュールの膜の面積（有効面積）をＳ０としたとき、ある運転時間を経過した時の透過ガスの流量を新品の分離膜モジュールの初期時における透過ガスの流量と同じにするための膜の面積をＳｔとすると、運転時間が増加することにより、Ｓｔ／Ｓ０の値が大きくなるということである。
【００１９】
本発明者は、透過率が低下した分離膜モジュールに対して例えば一次側から二次側に不活性ガスを通流させることにより当該分離膜モジュールの透過率が運転初期時の透過率に復帰すること、即ち当該分離膜モジュールを再生できること、を把握している。そして常温の不活性ガスを再生用ガスとして用いても分離膜モジュールの再生を行うことができるが、不活性ガスを加熱することにより、再生に要する時間が短縮されることも把握している。一例を挙げると、例えば１５０℃に加熱された不活性ガスを使用した場合には、９時間で分離膜モジュールの透過性能が復帰する。
【００２０】
本発明者は、分離膜モジュールの透過性能が低下する要因としては、分離膜を構成するゼオライトの細孔内に不純物（主に炭化水素類）が吸着し、不純物の吸着量が増加することに起因していると推定している。このため例えば二酸化炭素を加熱することにより分離膜に熱を与えて不純物の分子運動を促し、細孔内から飛び出す不純物を二酸化炭素のガス流に乗せて分離膜から取り除くことができると考えられる。  
例えば常温の二酸化炭素を用いても、不純物が二酸化炭素のガス流に乗るが、不純物を十分除去するために要する時間が、分離膜を加熱する場合よりも長くなることから、二酸化炭素を加熱することが得策である。分離膜を加熱する手法としては、分離膜を直接加熱するようにしてもよい。分離膜を直接加熱する手法としては、分離膜モジュールを構成する筐体にヒータを設けて、筐体から分離膜に伝熱させる手法であってもよいし、あるいは筐体に赤外ランプを設けて輻射熱で分離膜を加熱するようにしてもよい。分離膜を直接加熱することと、二酸化炭素を加熱部４１で加熱することとを併用してもよい。
【００２１】
図１に戻って、再生用ガスを第２の分離膜モジュール２の一次側に供給することにより、当該第２の分離膜モジュール２の分離膜１００における一次側の二酸化炭素の圧力と二次側の二酸化炭素圧力との差分に対応した量だけ二酸化炭素が二次側に透過し、透過ガス流路２３を介してガス分離装置の外部に流出する。また分離膜１００を透過しなかった非透過ガスは、非透過ガス流路２２を介してガス分離装置の外部に流出する。
【００２２】
第２の分離膜モジュール２における一次側と二次側との圧力差は、例えば再生用ガス流路の一部である第１の分離膜モジュール１側の分岐路１４に設けた図示しない圧力制御バルブを調節することにより所定の値に設定される。この圧力調節バルブによる圧力調節は、再生用ガスが加熱部４１及び第２の分離膜モジュール２を通るときの圧力損失を考慮して行われる。  
こうして第２の分離膜モジュール２の再生が行われ、例えば９時間再生を行った後、当該第２の分離膜モジュール２を稼働させ、第１の分離膜モジュール１を非稼働状態とする。
【００２３】
即ち、バルブＶ１０を閉じ、バルブＶ２０を開いた状態とする。そして再生用ガス流路のバルブＶ１１、Ｖ１２を閉じ、バルブＶ２１、Ｖ２２を開く。稼働中である第２の分離膜モジュール２の一次側に供給された天然ガス中の二酸化炭素は分離膜１００を透過して透過ガス流路２３に透過ガスとして流出し、分離膜１００を透過しなかった非透過ガスは非透過ガス流路２２に流出する。
【００２４】
第２の分離膜モジュール２の透過ガスである二酸化炭素は、ガス分離装置の下流側に送られると共に、透過ガスの一部は分岐路２４、加熱部４１、分岐路２５及び第１のガス供給路１１を通って非稼働状態である第１の分離膜モジュール１の一次側に再生用ガスとして供給される。既述のようにして第１の分離膜モジュール１について再生を所定時間行った後は、図１の状態となるように各バルブの開閉を行い、第２の分離膜モジュール２の再生を行う。こうして第１の分離膜モジュール１及び第２の分離膜モジュール２は、一方を稼働状態とし他方を非稼働状態として、交互に再生が行われる。
【００２５】
分離膜モジュール１（２）の再生を行う時間については、この例では９時間の例を挙げている。しかしシステムの運用などに応じて例えば２時間であってもよいが、例えば６時間以上再生することが好ましい。再生を行う時間とは、分離モジュール１（２）に再生用ガスを供給する時間であり、上述の例では、バルブＶ１０、Ｖ１１、Ｖ１２が開かれかつＶ２０、Ｖ２１、Ｖ２２が閉じられた状態が確立した時点からバルブＶ２０、Ｖ２１、Ｖ２２が開かれかつＶ１０、Ｖ１１、Ｖ１２が閉じられた状態が確立した時点までである。従って、再生を行う時間とは、再生の対象となる分離膜モジュールについて、再生のためのバルブの操作終了時から運転ラインへの復帰（稼働）のためのバルブの操作終了時までであるということもできる。
【００２６】
上述の実施形態によれば、互に並列に接続された第１の分離膜モジュール１及び第２の分離膜モジュール２のうち、稼働中の一の分離膜モジュール１（２）を透過した透過ガスを、非稼働中の他の分離膜モジュール２（１）の再生用ガスとして当該他の分離膜モジュール２（１）のガス分離膜１００の一次側に供給している。従って、外部から再生用ガスを供給することなく、装置を運転しながら分離膜モジュール２（１）を再生することができるので、装置の稼働率の低下を抑えることができ、また経済性がよいという効果がある。  
一方、稼働率や膜再生による分離性能向上率などを考慮すると、長時間の再生は経済性を悪化させることにつながるため、例えば、再生時間は６０時間以下とすることが好ましい。  
そして第１の分離膜モジュール１を再生するための再生用ガス及び第２の分離膜モジュール２を再生するための再生用ガスを共通の加熱部４１により加熱するようにしているため、装置構成が簡素化され、コストの低廉化に寄与する。
【００２７】
上述の第１の実施形態は、例えば図２に示すように構成してもよい。図２に示す例では、透過ガス流路１３、２３に圧力制御バルブＰＶ１、ＰＶ２と圧力検出部１０１、２０１とを設けている。圧力制御バルブＰＶ１、ＰＶ２は、透過ガス流路１３、２３における分岐路１４、２４の分岐点の上流側及び下流側のいずれに配置してもよいが、この例では、前記分岐点の下流側に配置している。１０２、２０２はコントローラであり、圧力検出部１０１、２０１の圧力検出値に基づいて圧力制御バルブＰＶ１、ＰＶ２の開度を調整し、透過ガス流路１３、２３の圧力を制御する。
【００２８】
また分岐路１４、２４に流量調節バルブＦＶ１、ＦＶ２と流量検出部１０３、２０３とを設けている。１０４、２０４はコントローラであり、流量検出部１０３、２０３の流量検出値に基づいて流量調節バルブＦＶ１、ＦＶ２の開度を調整し、分岐路１４、２４の流量を制御する。  
この例において、例えば第１の分離膜モジュール１から第２の分離膜モジュール２に再生用ガスを供給する場合、第２の分離膜モジュール２側の流量調整バルブＦＶ２を閉じておく。そして圧力制御バルブＰＶ１により透過ガス流路１３の圧力を設定圧力となるように制御すると共に、流量調節バルブＦＶ１により、分岐路１４に流れる再生用ガスの流量を設定流量となるように制御する。このとき第２の分離膜モジュール２側の圧力制御バルブＰＶ２は全開の状態とされ、圧力制御は行わない。
第２の分離膜モジュール２から第１の分離膜モジュール１に再生用ガスを供給する場合においても、圧力制御バルブＰＶ２、流量調節バルブＦＶ２を用いて同様に制御する。
【００２９】
［第２の実施形態］  
図３は本発明の第２の実施形態を示している。第１の実施形態と異なる構成は、
ａ）透過ガス流路１３、２３に夫々減圧用流路１６、２６の一端側を接続したこと、  
ｂ）減圧用流路１６、２６の各他端側を合流し、合流路に減圧機構である減圧ポンプ４２を設けたこと、
ｃ）減圧用流路１６、２６に夫々バルブＶ１３、Ｖ２３を設けたこと、
ｄ）透過ガス流路１３、２３において、減圧用流路１６、２６の分岐点の下流側に夫々バルブＶ１４、Ｖ２４を設けたこと、
ｅ）再生されている分離膜モジュール２（１）の一次側と二次側との差圧は、減圧ポンプ４２による真空引きにより発生していること、
である。
【００３０】
図３は、第１の分離膜モジュール１を稼働状態、第２の分離膜モジュール２を非稼働状態とし、第１の分離膜モジュール１の透過ガスを再生用ガスとして用いて第２の分離膜モジュール２の再生を行っている状態を示している。この場合には、バルブＶ１３及びＶ１４を夫々「閉」、「開」の状態とし、バルブＶ２３及びＶ２４を夫々「開」、「閉」の状態としている。  
このため第１の分離膜モジュール１の透過ガスは再生用ガスとして利用されると共にバルブＶ１４を介して装置の外部に流出する。また第２の分離膜モジュール２の透過ガスは減圧用流路２６を介して減圧ポンプ４２により引き抜かれる。なお、減圧ポンプ４２の一次側に圧力調整バルブを設けて、減圧用流路２６の圧力を調節してもよい。
【００３１】
この例においては、第２の分離膜モジュール２内の圧力が低いので、加熱された二酸化炭素により当該第２の分離膜モジュールの分離膜１００を加熱しようとすると、伝熱性が悪い。このため減圧ポンプ４２を停止させておくか、あるいは減圧用流路２６のバルブＶ２３を閉じかつ透過ガス流路２３のバルブＶ２４を開いておくことにより、第２の分離膜モジュール２内の圧力を高くして、二酸化炭素の熱を分離膜１００に伝熱させるようにしてもよい。この場合には、分離膜１００が十分に加熱された後、減圧ポンプ４２により第２の分離膜モジュール２の二次側を真空引きする。
【００３２】
また第２の分離膜モジュールの分離膜１００を加熱する手法としては、既述のように当該第２の分離膜モジュール１００を直接加熱する手法を採用してもよい。  
第２の分離膜モジュール２の再生が所定時間行われた後は、各バルブの「開」、「閉」の状態を逆にすることで、第１の分離膜モジュール１は非稼働状態となって、稼働状態となった第２の分離膜モジュール２を透過した透過ガスにより再生される。
【００３３】
［第３の実施形態］  
本発明の第３の実施形態は、再生用ガスを分離膜モジュール２（１）の一次側の出口に供給する例である。構成の説明に関しては同じ説明の繰り返しを避けるために、部位に付した符号に加え、当該部位に対応する部位の符号を括弧内に記載することにより、括弧がない符号の部位同士の説明と、括弧内の符号の部位同士の説明とを同時に行っている。
【００３４】
図４に示すように、第１の分離膜モジュール１（２）の再生用ガスの供給先、即ち再生用ガス流路である分岐路１５（２５）の他端側は、第２の分離膜モジュール２（１）の一次側の出口側に接続された非透過ガス流路２２（１２）に合流されている。非透過ガス流路２２（１２）において合流位置よりも下流側にはバルブＶ２５（Ｖ１５）が設けられている。更に第２の分離膜モジュール２（１）のガス供給路２１（１１）において、バルブＶ２０（Ｖ１０）の下流側からは再生用ガス流出路１７（２７）が分岐され、再生用ガス流出路１７（２７）の下流側はバルブＶ１６（Ｖ２６）を介して、非透過ガス流路２２におけるバルブＶ２５（Ｖ１５）の下流側に合流している。
【００３５】
図４は、第１の分離膜モジュール１が稼働状態であり、第１の分離膜モジュール１の透過ガスを再生用ガスとして、非稼働状態の第２の分離膜モジュール２の一次側の出口に供給している状態を示している。第２の分離膜モジュール２内に一次側の出口から供給された再生用ガスである二酸化炭素は、第１の実施形態と同様に二次側に透過すると共に透過しなかった二酸化炭素は、再生用ガス流出路１７、バルブＶ１６及び非透過ガス流路２２を介して装置の外部に流出する。  
第２の分離膜モジュール２の再生が終了した後は、バルブの「開」、「閉」の状態を逆にすることで、第２の分離膜モジュール２を稼働状態とし、第１の分離膜モジュール１の再生が行われる。
【００３６】
［第４の実施形態］  
本発明の第４の実施形態は、図５に示すように再生用ガスを分離膜モジュール２（１）の二次側に供給する例である。第１の分離膜モジュール１及び第２の分離膜モジュール２の各二次側は、再生用ガス流路４３により互に接続されている。当該再生用ガス流路４３には、再生用バルブであるバルブＶ１７及びＶ２７が設けられ、これらバルブＶ１７、Ｖ２７の間には加熱部４１が設けられている。
【００３７】
再生用ガス流路４３の一端側は、第１の分離膜モジュール１の二次側にて、透過ガス流路１３の接続口とは異なる接続口に接続され、再生用ガス流路４３の他端側は、第２の分離膜モジュール２の二次側にて、透過ガス流路２３の接続口とは異なる接続口に接続されている。  
また再生用ガス流路４３において、第１の分離膜モジュール１とバルブＶ１７との間の部位から分岐路４３１を分岐すると共に、第２の分離膜モジュール２とバルブＶ２７との間の部位から分岐路４３２を分岐している。各分岐路４３１、４３２には、夫々バルブＶ１８、Ｖ２８を設けている。
【００３８】
図５は、第１の分離膜モジュール１及び第２の分離膜モジュール２が夫々稼働状態及び非稼働状態であり、第２の分離膜モジュール２を再生している状態を示している。バルブＶ１７及びＶ２７を開いておくことにより、第１の分離膜モジュール１の透過ガス（二酸化炭素）が再生用ガスとして第２の分離膜モジュール２の二次側に流入し、分離膜１００を透過して一次側に流出する。このときバルブ１８を開き、バルブ２８を閉じておく。再生用ガスの一部は透過ガス流路２３から外部に流出する。
【００３９】
第２の分離膜モジュール２の再生が終了した後は、バルブＶ１０を閉じ、バルブＶ２０を開くと共に、バルブＶ１８を閉じ、バルブＶ２８を開くことにより、第１の分離膜モジュール１の再生が行われる。なお、バルブＶ１７、Ｖ２７を閉じることにより、分離膜モジュール１、２を同時に稼働状態にすることもできる  。
【００４０】
このように再生用ガスを分離膜モジュールの二次側から一次側に透過させることによっても、分離膜モジュールの再生を行うことができる。
【００４１】
この場合、第２の実施形態（図３参照）として記載したように、再生用ガスが分離膜モジュールを透過した後に流れるガス流路を減圧するように減圧機構を設ける構成としてもよい。再生用ガスが分離膜モジュールを透過した後に流れるガス流路とは、図３の例では、分離膜モジュールの二次側のガス流路である透過ガス流路１３、２３であり、図５の例では、一次側のガス流路である非透過ガス流路１２、２２である。
【００４２】
［第５の実施形態］  
本発明の第５の実施形態は、図６に示すように再生用ガス流路である分岐路１４、２４の他端側を合流させずに、夫々加熱部４１Ａ、４１Ｂを介してガス供給路２１、２２に接続している。既述の第１の実施形態は、第２の分離膜モジュール２を再生するための再生用ガスの加熱及び第１の分離膜モジュール１を再生するための再生用ガスの加熱を共通の加熱部４１により加熱している点で第５の実施形態よりも得策であるが、第５の実施形態であっても本発明の効果が得られる。
【００４３】
［第６の実施形態］  
第１の実施形態から第５の実施形態では、第１の分離膜モジュール１と第２の分離膜モジュール２とを交互に稼働状態としているが、本発明は、３個以上の分離膜モジュールを用いて例えば順番に非稼働状態としかつ再生を行うようにしてもよい。このような例の一つである、本発明の第６の実施形態を図７〜図９に示す。第６の実施形態では、第１の分離膜モジュール１及び第２の分離膜モジュール２に加えて第３の分離膜モジュール３を用いている。
【００４４】
図７において、図１に対応する部位については図１に用いた符号と同じ符号を用いている。３１は、ガス供給路、バルブＶ３０はガス供給バルブ、３２は非透過ガス流路、３３は透過ガス流路、３４は分岐路、Ｖ３１はバルブである。第３の分離膜モジュール３の透過ガス流路３３から分岐した分岐路３４は、分岐路１４、２４と合流し、合流路の下流側にて分岐路７１、７２、７３に分岐している。合流路には加熱部４１が設けられている。分岐路７１、７２、７３における分岐点と反対側の端部は、夫々ガス供給路１１、２１、３１におけるガス供給バルブＶ１０、Ｖ２０、Ｖ３０の下流側に接続されている。
【００４５】
図７は、第１の分離膜モジュール１及び第３の分離膜モジュール３を稼働状態とし、第２の分離膜モジュール２を非稼働状態にすると共に、第１の分離膜モジュール１から第２の分離膜モジュール２に再生用ガスを供給して第２の分離膜モジュール２を再生している状態を示している。  
図８は、第１の分離膜モジュール１及び第２の分離膜モジュール２を稼働状態とし、第３の分離膜モジュール３を非稼働状態にすると共に、第２の分離膜モジュール２から第３の分離膜モジュール３に再生用ガスを供給して第３の分離膜モジュール３を再生している状態を示している。  
図９は、第２の分離膜モジュール２及び第３の分離膜モジュール３を稼働状態とし、第１の分離膜モジュール１を非稼働状態にすると共に、第３の分離膜モジュール３から第１の分離膜モジュール１に再生用ガスを供給して第１の分離膜モジュール２を再生している状態を示している。
【００４６】
第３の実施形態では、このような運用に限らず、例えば図７に示す状態である、第２の分離膜モジュール２の再生が終了した後に、第１の分離膜モジュール１の透過ガスを用いて第３の分離膜モジュール３の再生を行うなどの運用であってもよい。
【００４７】
以上説明した実施形態１〜実施形態６においては、第１の分離膜モジュール１及び第２の分離膜モジュール２が並列に接続されている構成を示している。しかしＬＮＧの製造システムにおいては、複数の分離膜モジュールを直列に接続する場合、即ち前段の分離膜モジュールの透過ガス流路が後段の分離膜モジュールのガス供給路となるように順次接続する場合が多い。この場合には、直列接続された複数の分離膜モジュールの群の複数が互いに並列に接続されることになる。本発明は、このような構成においても当然適用できる。
【００４８】
本発明で使用される被処理ガスは、天然ガスにかぎられるものではなく、バイオガスであってもよい。また透過ガスは二酸化炭素に限られず窒素であってもよく、従って被処理ガスとしては窒素を含有するガスであってもよい。
【図１】
2018207343.tif 000003
【図２】
2018207343.tif 000004
【図３】
2018207343.tif 000005
【図４】
2018207343.tif 000006
【図５】
2018207343.tif 000007
【図６】
2018207343.tif 000008
【図７】
2018207343.tif 000009
【図８】
2018207343.tif 000010
【図９】
2018207343.tif 000011
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
非炭化水素ガスを含む被処理ガス中の非炭化水素ガスがガス供給路を介して一次側に供給され、当該一次側から二次側に透過することにより、被処理ガス中の非炭化水素ガスを低減するガス分離膜を各々備え、互に並列に接続された複数の分離膜モジュールと、
前記複数の分離膜モジュールの各々に接続され、透過ガスが流出する透過ガス流路と、
前記複数の分離膜モジュールの各々に接続され、非透過ガスが流出する非透過ガス流路と、
前記複数の分離膜モジュールのうち、稼働中の第１の分離膜モジュールを透過した透過ガスを、非稼働中の第２の分離膜モジュールの再生用ガスとして、当該第２の分離膜モジュールの一次側を介して当該第２の分離膜モジュールのガス分離膜に供給するための再生用ガス流路と、
前記再生用ガス流路に設けられた再生用バルブと、
前記複数の分離膜モジュールの一次側の各々に接続された前記ガス供給路に設けられた供給用バルブと、
前記第２の分離膜モジュールの供給用バルブを閉じて当該第２の分離膜モジュールを非稼働状態とし、前記再生用バルブを開いて供給される再生用ガスにより、当該第２の分離膜モジュールの再生を行うために、前記第２の分離膜モジュールの供給用バルブを閉じると共に前記再生用バルブを開くように制御信号を出力する制御部と、を備え、
前記再生用ガス流路は、前記複数の分離膜モジュールの各々の二次側に一端側が接続され、他端側が共通の加熱部の一端側に接続された前段ガス流路と、前記加熱部の他端側にその一端側が接続され、他端側が分岐して前記複数の分離膜モジュールの各々の一次側に接続された後段ガス流路と、を備え、
前記前段ガス流路、及び分岐している前記後段ガス流路の各々に再生用バルブが設けられていることを特徴とするガス分離装置。
【請求項２】
（削除）
【請求項３】
（削除）
【請求項４】
再生が行われている前記第２の分離膜モジュールの二次側のガス流路を減圧するための減圧機構を備えていることを特徴とする請求項１記載のガス分離装置。
【請求項５】
（削除）
【請求項６】
前記非稼働中の他の分離膜モジュールの再生を開始してから、再生が終了するまでの時間は２時間以上であることを特徴とする請求項１記載のガス分離装置。
【国際調査報告】
2018207343.tif 000012
2018207343.tif 000013
2018207343.tif 000014
2018207343.tif 000015